(57)【特許請求の範囲】
【請求項１】
制御装置から単一のモニタ要求を受信してモニタモジュールに転送する受信モジュールと、
前記モニタモジュールから単一のモニタ結果を受信し、該受信されたモニタ結果をインターネットで前記制御装置に転送する転送モジュールと、
前記制御装置から受信される開始信号及び終了信号を感知する信号感知モジュールと、
該信号感知モジュールにより前記開始信号が感知されると、前記信号感知モジュールを通じて受信されるモニタパターンを感知してモニタ感知信号を発生するモニタパターン感知部と、
前記信号感知モジュールを通じて受信されるモニタパターンに含まれる複数のモニタ要求を保存するモニタ要求保存部と、
前記モニタ感知信号に従い、前記モニタ要求保存部に保存された前記複数のモニタ要求に該当する複数のアプリケーションをモニタした後、複数のモニタ結果を生成するモニタ要求処理部と、
該モニタ要求処理部により生成される前記複数のモニタ結果をインターネットで前記制御装置に転送する転送モジュールと、
を含み、
前記信号感知モジュールは、
前記開始信号が感知されると、前記単一のモニタ要求に応じて前記単一のモニタ結果を転送する一対一モニタモードを、前記複数のモニタ要求に応じて前記複数のモニタ結果を転送するパターンモニタモードに切り換えて、前記モニタパターン感知部及び前記モニタ要求保存部を動作させ、
前記終了信号が感知されると、前記パターンモニタモードを前記一対一モニタモードに切り換える
ことを特徴とする移動通信端末機用モニタ装置。
【請求項２】
前記転送モジュールは、
前記モニタ要求処理部により生成されたモニタ結果を、最初に発生したモニタ結果から順に転送するか、又は、複数のモニタ結果が順次構成されたモニタ結果パターンとして転送する
ことを特徴とする請求項１記載の移動通信端末機用モニタ装置。
【請求項３】
ローカル側ＰＣによるモニタ要求に応じてモニタ結果を転送する端末機側ＰＣのモニタ制御方法であって、
前記ローカル側ＰＣから受信される単一のモニタ要求に応じて移動通信端末機のアプリケーションをモニタし、該モニタによる単一のモニタ結果を前記ローカル側ＰＣに転送する、一対一モニタモードを行う段階と、
前記ローカル側ＰＣからモニタパターン転送の開始を知らせる開始信号が受信されると、前記一対一モニタモードをパターンモニタモードに切り換える段階と、
該パターンモニタモードにおいて、前記ローカル側ＰＣから受信されるモニタパターンを感知する段階と、
該感知されたモニタパターンに含まれる複数のモニタ要求に応じて移動通信端末機の複数のアプリケーションをモニタする段階と、
前記ローカル側ＰＣからモニタパターン転送の終了を知らせる終了信号が受信されると、前記モニタした複数のモニタ結果を前記ローカル側ＰＣに転送する段階と、
前記複数のモニタ結果が前記ローカル側ＰＣに転送されると、前記パターンモニタモードを前記一対一モニタモードに切り換える段階と、
を含むことを特徴とするモニタ制御方法。
【請求項４】
前記複数のモニタ結果は、
最初に発生したモニタ結果から順に転送されるか、又は、複数のモニタ結果が順次構成されたモニタ結果パターンとして前記ローカル側ＰＣに転送される
ことを特徴とする請求項３記載のモニタ制御方法。
【発明の詳細な説明】
【技術分野】
【０００１】
本発明は、移動通信端末機用モニタ装置（monitoring unit）に関し、特に、モニタ制御システム及びその方法に関する。
【背景技術】
【０００２】
近年、移動通信端末機のサービスの種類が多様になるにつれて、複数のサービスに対応するプログラムコードのサイズが増加し、さらに、移動通信端末機の動作が複雑になることにより、移動通信端末機の多様な動作間の相互作用が円滑に行われないため、移動通信端末機が不安定になる可能性が高くなってきている。
【０００３】
移動通信端末機の設計者は、移動通信端末機をモニタした後、デバッグ装置（debugging unit）を利用して移動通信端末機の動作を安定させる。例えば、移動通信端末機の設計者は、モニタ装置により移動通信端末機をモニタした後、デバッグ装置のＪＴＡＧ技術（Joint Test Action Group Technologies）を用いて移動通信端末機（例えば、移動通信端末機のアプリケーション）をデバッグする。
【０００４】
以下、移動通信端末機をデバッグする前に移動通信端末機をモニタする装置を遠隔地から制御するシステムを、図６を参照して説明する。
【０００５】
図６は、従来技術に係るインターネットでのモニタ制御システムの構成を示す図である。ここで、移動通信端末機をモニタするためのモニタ装置が搭載されたＰＣ（personal computer）を端末機側ＰＣ（Phone side PC）と定義し、当該モニタ装置を制御するための遠隔制御装置が搭載されたＰＣをローカル側ＰＣ（Local Side PC）と定義する。
【０００６】
図６に示すように、端末機側ＰＣ３０とローカル側ＰＣ１０とはインターネット２０で接続され、移動通信端末機４０は、端末機側ＰＣ３０の通信ポート（図示せず）に接続される。ローカル側ＰＣ１０は、端末機側ＰＣ３０にモニタ要求（monitoring request）を転送し、端末機側ＰＣ３０は、ローカル側ＰＣ１０のモニタ要求に応じて移動通信端末機４０をモニタした後、モニタ結果をインターネット２０でローカル側ＰＣ１０に転送する。ローカル側ＰＣ１０は、端末機側ＰＣ３０から転送されたモニタ結果を受信する。
【０００７】
以下、従来技術に係るモニタ制御システムの詳細な構成及び動作を図６を参照して説明する。
【０００８】
ローカル側ＰＣ１０の転送モジュール（send module）１１は、使用者の要求に応じてモニタ要求をインターネット２０で端末機側ＰＣ３０に転送する。ローカル側ＰＣ１０の受信モジュール（receive module）１２は、端末機側ＰＣ３０からモニタ結果を受信し、その受信されたモニタ結果を表示モジュール（図示せず）に転送する。
【０００９】
端末機側ＰＣ３０の受信モジュール３１は、ローカル側ＰＣ１０の転送モジュール１１からモニタ要求を受信し、該モニタ要求を端末機側ＰＣ３０のモニタモジュール（図示せず）に転送する。端末機側ＰＣ３０の転送モジュール３２は、モニタモジュールからモニタ結果を受信し、該受信されたモニタ結果をインターネット２０でローカル側ＰＣ１０に転送する。この時の端末機側ＰＣ３０のモニタモジュールは、モニタ要求に応じて移動通信端末機４０をモニタした後、そのモニタ結果を転送モジュール３２に転送する。
【００１０】
図７は、従来技術に係るインターネットでのモニタ制御方法を示すフローチャートである。
【００１１】
使用者がローカル側ＰＣ１０を利用して端末機側ＰＣ３０に接続された移動通信端末機４０をデバッグする前に、ローカル側ＰＣ１０が端末機側ＰＣ３０にモニタ要求を転送し、該端末機側ＰＣ３０からモニタ結果を受信するメッセージの流れを、一対一モニタモードであると仮定する。
【００１２】
ローカル側ＰＣ１０は、使用者により発生したモニタ要求を端末機側ＰＣ３０に転送し、該端末機側ＰＣ３０は、受信されたモニタ要求に応じて移動通信端末機４０をモニタした後、モニタ結果をローカル側ＰＣ１０に転送する。すなわち、ローカル側ＰＣ１０は、単一のモニタ要求を端末機側ＰＣ３０に転送し、当該単一のモニタ要求に応じて転送される単一のモニタ結果を端末機側ＰＣ３０から受信し、その受信された移動通信端末機４０のモニタ結果をローカル側ＰＣ１０の画面に表示する。
【００１３】
一方、ローカル側ＰＣ１０は、移動通信端末機４０をモニタするために毎回単一のモニタ要求を発生し、この単一のモニタ要求をインターネットで端末機側ＰＣ３０に転送し、該単一のモニタ要求に対するモニタ結果を受信するので、モニタ要求及びモニタ結果を送受信するとき、インターネット経由によるネットワーク遅延（network delay）が発生していた。例えば、移動通信端末機４０に設置された３つのアプリケーションをモニタする場合、ローカル側ＰＣ１０は、アプリケーション１をモニタするためのモニタ要求１を転送した後、モニタ結果１が受信されると、アプリケーション２をモニタするためのモニタ要求２を転送し、これに応じるモニタ結果２が受信されると、アプリケーション３をモニタするためのモニタ要求３を転送し、その後モニタ結果３を受信する。
【００１４】
従って、従来技術に係るモニタ制御システムは、モニタ結果が受信されるまで待機し、モニタ結果が受信された後に他のモニタ要求を転送するので、ネットワーク遅延が発生していた。また、従来技術に係るモニタ制御システムは、モニタ要求とモニタ結果を送受信するとき、インターネット経由によるネットワーク遅延が発生すると、リアルタイム（real time）で移動通信端末機をモニタできないという問題があった。さらに、従来技術に係るモニタ制御システムは、ネットワーク遅延が長くなる場合、ローカル側ＰＣと端末機側ＰＣとの間の接続が解除されるという問題もあった。
【発明の開示】
【発明が解決しようとする課題】
【００１５】
本発明の目的は、移動通信端末機をモニタするとき、ローカル側ＰＣと端末機側ＰＣとの間のネットワーク遅延を最小化できるモニタ制御システム及びその方法を提供することにある。
【００１６】
本発明の他の目的は、移動通信端末機をモニタするとき、ローカル側ＰＣと端末機側ＰＣとの間のネットワーク遅延を最小化することにより、リアルタイムで移動通信端末機をモニタできるモニタ制御システム及びその方法を提供することにある。
【課題を解決するための手段】
【００１７】
このような目的を達成するための本発明に係る移動通信端末機用モニタ装置は、制御装置から単一のモニタ要求を受信してモニタモジュールに転送する受信モジュールと、前記モニタモジュールから単一のモニタ結果を受信し、該受信されたモニタ結果をインターネットで前記制御装置に転送する転送モジュールと、前記制御装置から受信される開始信号及び終了信号を感知する信号感知モジュールと、該信号感知モジュールにより前記開始信号が感知されると、前記信号感知モジュールを通じて受信されるモニタパターンを感知してモニタ感知信号を発生するモニタパターン感知部と、前記信号感知モジュールを通じて受信されるモニタパターンに含まれる複数のモニタ要求を保存するモニタ要求保存部と、前記モニタ感知信号に従い、前記モニタ要求保存部に保存された前記複数のモニタ要求に該当する複数のアプリケーションをモニタした後、複数のモニタ結果を生成するモニタ要求処理部と、該モニタ要求処理部により生成される前記複数のモニタ結果をインターネットで前記制御装置に転送する転送モジュールと、を含み、前記信号感知モジュールは、前記開始信号が感知されると、前記単一のモニタ要求に応じて前記単一のモニタ結果を転送する一対一モニタモードを、前記複数のモニタ要求に応じて前記複数のモニタ結果を転送するパターンモニタモードに切り換えて、前記モニタパターン感知部及び前記モニタ要求保存部を動作させ、前記終了信号が感知されると、前記パターンモニタモードを前記一対一モニタモードに切り換えることを特徴とする。
【００１８】
また、本発明に係るモニタ制御方法は、ローカル側ＰＣによるモニタ要求に応じてモニタ結果を転送する端末機側ＰＣのモニタ制御方法であって、前記ローカル側ＰＣから受信される単一のモニタ要求に応じて移動通信端末機のアプリケーションをモニタし、該モニタによる単一のモニタ結果を前記ローカル側ＰＣに転送する、一対一モニタモードを行う段階と、前記ローカル側ＰＣからモニタパターン転送の開始を知らせる開始信号が受信されると、前記一対一モニタモードをパターンモニタモードに切り換える段階と、該パターンモニタモードにおいて、前記ローカル側ＰＣから受信されるモニタパターンを感知する段階と、該感知されたモニタパターンに含まれる複数のモニタ要求に応じて移動通信端末機の複数のアプリケーションをモニタする段階と、前記ローカル側ＰＣからモニタパターン転送の終了を知らせる終了信号が受信されると、前記モニタした複数のモニタ結果を前記ローカル側ＰＣに転送する段階と、前記複数のモニタ結果が前記ローカル側ＰＣに転送されると、前記パターンモニタモードを前記一対一モニタモードに切り換える段階と、を含むことを特徴とする。
【発明の効果】
【００１９】
本発明に係るモニタ装置及び制御方法によれば、モニタ要求を複数連続させて端末機側ＰＣに転送し、該端末機側ＰＣから、その複数のモニタ要求に応じた複数のモニタ結果を受信することにより、移動通信端末機をモニタするとき、ローカル側ＰＣと端末機側ＰＣとの間のネットワーク遅延を最小化できるという効果がある。。
【００２０】
また、本発明に係るモニタ装置及び制御方法によれば、移動通信端末機をモニタするときにローカル側ＰＣと端末機側ＰＣとの間のネットワーク遅延を最小化することにより、リアルタイムで移動通信端末機をモニタしてローカル側ＰＣと端末機側ＰＣとの間のネットワーク遅延による接続切れを防止できるという効果がある。
【発明を実施するための最良の形態】
【００２１】
以下、本発明に係る実施形態を図面を参照して詳細に説明する。
【００２２】
本実施形態に係るモニタ制御システムは、移動通信端末機をモニタするために、開始信号と終了信号との間に挟んで複数のモニタ要求をインターネットを介し転送する制御装置と、前記移動通信端末機に接続され、インターネットを介し転送される前記開始信号及び前記終了信号に応答して前記複数のモニタ要求を受信し、該複数のモニタ要求に応じて前記移動通信端末機の複数のアプリケーションをモニタし、そして、該モニタにより発生した複数のモニタ結果をインターネットを介し前記制御装置へ転送するモニタ装置と、を含んで構成される。
【００２３】
また、本実施形態に係るモニタ制御システムは、移動通信端末機の複数のアプリケーションをモニタするために、開始信号と終了信号との間に挟んで複数のモニタ要求を発生してインターネットを介し転送する第１ＰＣ（personal computer）と、前記移動通信端末機に接続され、インターネットを介し転送される前記開始信号及び前記終了信号に応答して前記複数のモニタ要求を受信し、該複数のモニタ要求に応じて前記複数のアプリケーションをモニタし、そして、該モニタにより発生した複数のモニタ結果をインターネットを介し前記第１ＰＣへ転送する第２ＰＣと、を含んで構成される。
【００２４】
また、本実施形態に係るモニタ制御方法は、ローカル側装置において、移動通信端末機の複数のアプリケーションをモニタするために、開始信号と終了信号との間に挟んで複数のモニタ要求をインターネットを介し端末機側装置へ転送する段階と、端末機側装置において、インターネットを介し転送される前記開始信号及び前記終了信号に応答して前記複数のモニタ要求を受信し、該複数のモニタ要求に応じて前記複数のアプリケーションをモニタし、そして、該モニタにより発生した複数のモニタ結果をインターネットを介し前記ローカル側装置へ転送する段階と、を含む。
【００２５】
また、本実施形態に係るモニタ制御方法は、制御装置において、移動通信端末機の複数のアプリケーションをモニタするために、開始信号と終了信号との間に挟んで複数のモニタ要求を発生する段階と、前記制御装置からインターネットを介し、前記移動通信端末機をモニタするモニタ装置へ、前記開始信号、前記複数のモニタ要求、前記終了信号を転送する段階と、前記モニタ装置において、前記開始信号及び前記終了信号に応答して前記複数のモニタ要求を受信し、該複数のモニタ要求に応じて前記複数のアプリケーションをモニタし、そして、該モニタにより発生した複数のモニタ結果をインターネットを介し前記制御装置へ転送する段階と、を含む。
【００２６】
移動通信端末機をモニタするための複数のモニタ要求をインターネットで転送する制御装置が搭載されたＰＣをローカル側ＰＣと定義する。また、移動通信端末機に接続され、インターネットで複数のモニタ要求を受信し、この複数のモニタ要求に応じて複数のアプリケーションをモニタした後、その複数のモニタ結果をインターネットで制御装置に転送するモニタ装置が搭載されたＰＣを端末機側ＰＣと定義する。
【００２７】
図１は、インターネットを介したモニタ制御システムの実施形態を示すブロック図である。
【００２８】
図１に示すように、モニタ制御システムは、移動通信端末機４０をモニタするための複数のモニタ要求を発生し、その複数のモニタ要求をインターネット６０で端末機側ＰＣ７０に転送し、該端末機側ＰＣ７０から転送される複数のモニタ結果を表示するローカル側ＰＣ５０と、移動通信端末機４０に接続され、ローカル側ＰＣ５０から複数のモニタ要求を受信し、該複数のモニタ要求に応じて移動通信端末機４０をモニタした後、当該複数のモニタ要求に対する複数のモニタ結果をローカル側ＰＣ５０に転送する端末機側ＰＣ７０と、を備えている。ローカル側ＰＣ５０は、端末機側ＰＣ７０から転送されてくる複数のモニタ結果を順次表示するか、又はモニタ結果を照合・整列（collation sort）して表示することが好ましい。
【００２９】
以下、本実施形態に係るモニタ制御システムの詳細な構成を説明する。以下の詳細な構成は、本発明に基づいて当業者により多様に変更できる。
【００３０】
ローカル側ＰＣ５０は、移動通信端末機４０の複数のアプリケーションをモニタするための複数のモニタ要求を発生するモニタパターン発生部５１と、モニタ要求の転送開始により開始信号、複数のモニタ要求、終了信号を順次出力し、インターネット６０で端末機側ＰＣ７０から複数のモニタ結果を受信し、その受信されたモニタ結果を照合・整列するパターン送受信部５２と、その照合・整列された複数のモニタ結果を表示するモニタ結果表示部５３と、を備えている。なお、開始信号と終了信号とに挟まれて転送される複数のモニタ要求のまとまり（図５参照）をモニタパターンと呼ぶことにする。
【００３１】
モニタパターン発生部５１は、使用者の要求に応じて複数のモニタ要求を含む複数のモニタパターンを発生する。このモニタパターンに含まれた各モニタ要求は、移動通信端末機４０にて実行される各アプリケーションをモニタするための信号である。
【００３２】
パターン送受信部５２は、移動通信端末機４０の複数のアプリケーションをモニタするためのモニタパターンの転送が開始されると、開始信号、モニタパターン、終了信号を順次出力する転送モジュール５２ａと、インターネット６０で端末機側ＰＣ７０から複数のモニタ結果を受信し、その受信された複数のモニタ結果を照合・整列する受信モジュール５２ｂと、転送モジュール５２ａを制御し、受信モジュール５２ｂにより照合・整列された複数のモニタ結果をモニタ結果表示部５３に転送するパターン送受信モジュール５２ｃと、を有している。
【００３３】
端末機側ＰＣ７０は、モニタパターンの転送の開始及び終了を知らせる開始／終了信号を感知する開始／終了信号感知モジュール７１と、開始／終了信号感知モジュール７１により開始信号が感知されると、開始／終了信号感知モジュール７１を通じて受信されるモニタパターンに含まれた複数のモニタ要求を保存するモニタ要求保存部７２と、開始／終了信号感知モジュール７１により開始信号が感知されると、開始／終了信号感知モジュール７１を通じて受信されるモニタパターンを感知してモニタ感知信号を発生するモニタパターン感知部７３と、モニタ感知信号を受信した後、モニタ要求保存部７２に保存された複数のモニタ要求に応じて移動通信端末機４０の複数のアプリケーションをモニタした後、複数のモニタ結果を転送バッファ（図示せず）に保存するモニタ要求処理部７４と、その転送バッファに保存された複数のモニタ結果をインターネット６０でローカル側ＰＣ５０に転送する転送モジュール７５と、を備えている。
【００３４】
以下、本実施形態に係るモニタ制御システムの動作を詳細に説明する。
【００３５】
まず、モニタパターン発生部５１は、移動通信端末機４０の複数のアプリケーションをモニタするための複数のモニタ要求を含むモニタパターンを発生し、該発生したモニタパターンを転送モジュール５２ａに転送する。転送モジュール５２ａは、モニタパターンが受信されると、モニタパターンの転送開始を知らせるための開始信号、当該モニタパターン、モニタパターンの転送終了を知らせる終了信号を端末機側ＰＣ７０に順次転送する。この転送モジュール５２ａは、パターン送受信モジュール５２ｃの制御下で開始信号、モニタパターン、終了信号をインターネット６０で端末機側ＰＣ７０の開始／終了信号感知モジュール７１に転送する。
【００３６】
端末機側ＰＣ７０の開始／終了信号感知モジュール７１は、インターネット６０で受信される開始信号を感知すると、一対一モニタモードをパターンモニタモードに切り換える。そして開始／終了信号感知モジュール７１は、インターネット６０を介し受信されるモニタパターン転送の終了を知らせる終了信号を感知すると、パターンモニタモードを一対一モニタモードに切り換える。パターンモニタモードとは、連続して複数転送されてきたモニタ要求に応じて複数のアプリケーションをモニタした後、該モニタによるモニタ結果を連続して複数転送するためのモードである。
【００３７】
モニタ要求保存部７２は、開始／終了信号感知モジュール７１に開始信号が受信されると、この開始信号以後に受信されたモニタパターンに含まれる複数のモニタ要求を保存する。モニタパターン感知部７３は、開始／終了信号感知モジュール７１に開始信号が受信されると、この開始信号以後に開始／終了信号感知モジュール７１を通じて受信されたモニタパターンを感知してモニタ感知信号を発生し、該モニタ感知信号をモニタ要求処理部７４に出力する。
【００３８】
モニタ要求処理部７４は、モニタ感知信号に従い、モニタ要求保存部７２に保存された複数のモニタ要求に該当する複数のアプリケーションをモニタした後、複数のモニタ結果を転送バッファ（図示せず）に順次保存する。
【００３９】
転送モジュール７５は、転送バッファに保存された複数のモニタ結果をインターネット６０でローカル側ＰＣ５０の受信モジュール５２ｂに転送する。受信モジュール５２ｂは、インターネット６０で端末機側ＰＣ７０の転送モジュール７５から複数のモニタ結果を受信し、その受信された複数のモニタ結果を照合・整列し、その照合・整列された複数のモニタ結果をパターン送受信モジュール５２ｃに転送する。パターン送受信モジュール５２ｃは、受信モジュール５２ｂにより照合・整列された複数のモニタ結果をモニタ結果表示部５３に転送する。モニタ結果表示部５３は、その照合・整列された複数のモニタ結果を画面に表示する。
【００４０】
図２は、本発明に係るモニタパターン、モニタ結果の送受信時間を示す図である。さらに、図２は、パターンモニタモード及び一対一モニタモードを示す。
【００４１】
図２に示すように、パターンモニタモードでは、ローカル側ＰＣ５０は、開始信号及びモニタパターン１を端末機側ＰＣ７０に順次転送し、端末機側ＰＣ７０は、開始信号を感知してモニタパターン１を受信した後、モニタパターン１のモニタ要求に対するモニタ結果をローカル側ＰＣ５０に転送する。該ローカル側ＰＣ５０は、端末機側ＰＣ７０から転送されたモニタ結果を受信して表示する。ローカル側ＰＣ５０は、モニタ結果を連続的に受信して表示するので、１番目のモニタ結果を受信するときにのみネットワーク遅延が発生し、２番目のモニタ結果の受信からはネットワーク遅延が発生せずにモニタ結果が受信される。
【００４２】
一対一モニタモードでは、ローカル側ＰＣ５０は、モニタパターンの代わりに１つのモニタ要求を端末機側ＰＣ７０に転送する。端末機側ＰＣ７０は、モニタ要求を受信し、モニタ要求に対するモニタ結果をローカル側ＰＣ５０に転送する。ローカル側ＰＣ５０は、端末機側ＰＣ７０から転送された１つのモニタ結果を受信して表示する。さらに、ローカル側ＰＣ５０は、モニタパターンを送受信するときとは異なり、モニタ要求を転送する度にモニタ結果を受信するので、ネットワーク遅延が発生する。
【００４３】
図３は、本発明を説明するためのインターネットでのモニタ制御方法の信号流れ図である。
【００４４】
ローカル側ＰＣ５０は、一対一モニタモードでモニタ要求を転送してモニタ要求に対するモニタ結果を受信し、また、パターンモニタモードで開始信号、モニタパターン、終了信号を順次転送した後、モニタパターンに含まれた複数のモニタ要求に対するモニタ結果を複数連続して受信する。
【００４５】
端末機側ＰＣ７０は、一対一モニタモードでモニタ要求を受信してモニタ要求に対するモニタ結果を転送し、また、ローカル側ＰＣ５０から開始信号が受信されると、一対一モニタモードをパターンモニタモードに切り換えた後、モニタパターンを受信し、モニタパターンに含まれた複数のモニタ要求に対する複数のモニタ結果を転送する。端末機側ＰＣ７０は、ローカル側ＰＣ５０から終了信号が受信されると、パターンモニタモードを一対一モニタモードに切り換える。
【００４６】
図４は、本実施形態に係るインターネットでのモニタ制御方法の動作フローチャートである。
【００４７】
以下の説明において、モニタするための移動通信端末機のアプリケーションを選択し、一対一モニタモードをパターンモニタモードに切り換えた後、端末機側ＰＣに接続された移動通信端末機のアプリケーションをデバッグすると仮定する。
【００４８】
まず、ローカル側ＰＣ５０は、使用者の要求に応じて移動通信端末機４０にインストールされた複数のアプリケーションが正常に動作しているか否かを判断するために、移動通信端末機４０の複数のアプリケーションをモニタするための複数のモニタ要求を含むモニタパターンを発生する（Ｓ１）。ローカル側ＰＣ５０は、パターンモニタモードでモニタパターン転送の開始を知らせる開始信号を端末機側ＰＣ７０に転送する。
【００４９】
端末機側ＰＣ７０は、ローカル側ＰＣ５０から受信された開始信号を感知した後、一対一モニタモードをパターンモニタモードに切り換える（Ｓ２）。また、端末機側ＰＣ７０は開始信号以後にローカル側ＰＣ５０から受信されたモニタパターンを感知し（Ｓ３）、該モニタパターンに含まれた複数のモニタ要求（モニタ要求１、２、．．．Ｎ）を順次転送する（Ｓ４）。
【００５０】
端末機側ＰＣ７０は、転送された複数のモニタ要求に応じて移動通信端末機４０の複数のアプリケーションをモニタした後、その複数のモニタ要求に対する複数のモニタ結果をローカル側ＰＣ５０に転送する（Ｓ５）。
【００５１】
ローカル側ＰＣ５０は、端末機側ＰＣ７０から複数のモニタ結果を受信し（Ｓ６）、該受信された複数のモニタ結果を順次画面に表示したり、複数のモニタ結果を照合・整列し、照合・整列されたモニタ結果を画面に表示する（Ｓ７）。
【００５２】
一方、ローカル側ＰＣ５０は、複数のモニタ要求が端末機側ＰＣ７０に全て転送されると、モニタパターンに含まれた複数のモニタ要求の転送が終了したことを知らせる終了信号を端末機側ＰＣ７０に転送し、複数のモニタ結果を受信する。端末機側ＰＣ７０は、終了信号が受信されると、複数のモニタ要求に対する複数のモニタ結果をローカル側ＰＣ５０に全て転送した後、パターンモニタモードを一対一モニタモードに切り換える。一対一モニタモードは、従来技術であるので、その詳細な説明は省略する。
【００５３】
図５は、図４のモニタパターン、モニタ結果の情報リストを示す図である。モニタパターン１，２は、移動通信端末機４０の複数のアプリケーションをモニタするための複数のモニタ要求からそれぞれ構成され、モニタ結果パターン１，２は、複数のモニタ要求に応じて複数のアプリケーションをモニタすることにより発生した複数のモニタ結果からそれぞれ構成される。モニタ要求処理部７４は、最初に発生したモニタ結果から順に転送モジュール７５を通じてローカル側ＰＣ５０に転送したり、複数のモニタ結果が順次構成されたモニタ結果パターンを転送モジュール７５を通じてローカル側ＰＣ５０に転送する。
【図面の簡単な説明】
【００５４】
【図１】インターネットでのモニタ制御システムの実施形態を示すブロック図である。
【図２】本発明に係るモニタパターン、モニタ結果の送受信時間を示す図である。
【図３】本発明を説明するためのインターネットでのモニタ制御方法の信号流れ図である。
【図４】実施形態に係るインターネットでのモニタ制御方法のフローチャートである。
【図５】図４のモニタパターン、モニタ結果の情報リストを示す図である。
【図６】従来技術に係るインターネットでのモニタ制御システムの構成を示す図である。
【図７】従来技術に係るインターネットでのモニタ制御方法のフローチャートである。
【符号の説明】
【００５５】
０：ローカル側ＰＣ
５１：モニタパターン発生部
５２：パターン送受信部
５３：モニタ結果表示部
７０：端末機側ＰＣ
７１：開始／終了信号感知モジュール
７２：モニタ要求保存部
７３：モニタパターン感知部
７４：モニタ要求処理部
７５：転送モジュール
【図１】
0004805990.tif 000002
【図２】
0004805990.tif 000003
【図３】
0004805990.tif 000004
【図４】
0004805990.tif 000005
【図５】
0004805990.tif 000006
【図６】
0004805990.tif 000007
【図７】
0004805990.tif 000008